(57)【特許請求の範囲】
【請求項１】
製品を載置するための幅と長さを有する第１載置面と、第１載置面上で第１載置面の長さ方向の端部から起立し第１載置面の幅方向に沿って延在する側壁とを備えた厚紙からなる製品固定用クッションであって、
前記側壁は、第１載置面の端部から上方に折り曲げられる外側面と、外側面の上端から第１載置面の中央側に向くように折り曲げられる上面と、上面の端部から下方に折り曲げられる内側面と、内側面の下端から第１載置面の中央側に向いて第１載置面上で延在するように折り曲げられる下面とを備え、
前記側壁は、前記第１載置面の端部と外側面と上面と内側面により断面がほぼ矩形状に形成され、
前記下面の先部に第１係止片が設けられ、
前記内側面に、前記幅方向に間隔をおいた切れ線を介して前記下面と連続する第２係止片が形成され、
前記下面の先部が臨む第１載置面部分に第１係止溝が設けられ、
前記第１載置面と外面の境の部分に第２係止溝が形成され、
第１係止片が第1係止溝に係止し、第2係止片の先部が第2係止溝に係止することで、下面が第１載置面上に沿って延在し、かつ、前記側壁の矩形の形状が保持されるように構成されている、
ことを特徴とする製品固定用クッション。
【請求項２】
前記側壁は第１載置面の幅方向の全長にわたって設けられ、前記第１載置面とほぼ等しい幅を有してることを特徴とする請求項１記載の製品固定用クッション。
【請求項３】
前記側壁は第１載置面の幅方向に延在する幅を有し、前記第１係止片、第1係止溝、第2係止片、第2係止溝は、前記側壁の幅方向のほぼ中央に設けられていることを特徴とする請求項１記載の製品固定用クッション。
【請求項４】
前記側壁は、前記第１載置面の長さ方向の両側に互いに対向するようにそれぞれ設けられていることを特徴とする請求項１記載の製品固定用クッション。
【請求項５】
前記側壁および第2係止片は第１載置面の幅方向に延在する幅を有し、前記第2係止片の幅方向両側で前記内側面と下面との境の部分および内側面と上面の部分に、所定の長さ延在する切れ線が設けられていることを特徴とする請求項１記載の製品固定用クッション。
【請求項６】
前記第2係止溝に係止する第2係止片の先部は、この先部を除いた残りの第2係止片の部分よりも小さい幅で形成されていることを特徴とする請求項１記載の製品固定用クッション。
【請求項７】
前記第2係止片の先部と、この先部を除いた残りの部分との間に折れ線が形成されていることを特徴とする請求項１記載の製品固定用クッション。
【請求項８】
前記第１載置面の下方で第１載置面に平行するように第2載置面が設けられ、前記第2載置面は第1載置面の幅と長さに沿った幅と長さを有し、前記第1載置面の幅と第2載置面の幅は同一の寸法で形成され、前記第2載置面は、第１載置面の幅方向の端部から下方に屈曲する連接面により接続され、前記第２載置面の連接面とは反対側の幅方向の端部に、第２載置面から屈曲し上方に起立する起立面が設けられ、前記第１載置面の連接面とは反対側の幅方向の端部は前記起立面の上端に載置され、前記第１載置面の下方で前記第２載置面上には、前記第１載置面に載置される製品とは別の製品が載置されることを特徴とする請求項１記載の製品固定用クッション。
【請求項９】
前記起立面の上端から折り曲げられる内面が設けられ、起立面端と内面の境の部分に挿入溝が形成され、前記起立面の上端に載置される第１載置面の端部に前記挿入溝に挿入される挿入片が設けられていることを特徴とする請求項８記載の製品固定用クッション。
【請求項１０】
前記挿入片には、第１載置面の上方から把持を可能としたつまみが設けられていることを特徴とする請求項９記載の製品固定用クッション。
【請求項１１】
前記厚紙は段ボールであることを特徴とする請求項１記載の製品固定用クッション。
【発明の詳細な説明】
【０００１】
【発明の属する技術分野】
本発明は段ボールなどの厚紙から形成された製品固定用クッションに関する。
【０００２】
【従来の技術】
電子機器などの製品は、例えば、紙製の外箱の内部に段ボールなどの厚紙から形成された製品固定用クッションが挿入され、製品は外箱の内部でこの製品固定用クッションに収容された状態で市場に流通される場合が多い。
このような従来の製品固定用クッションを図１４（Ａ）、（Ｂ）に示す。
図１４（Ａ）において符号８２を外箱、８４は製品固定用クッションを示し、製品固定用クッション８４は、外箱８２の底面上に載置される載置面８６と、載置面８６の両側に設けられた側壁８８を備え、製品は、両側壁８８の間で載置面８６上に載置された状態で収容される。
【０００３】
そして、側壁８８は、製品固定用クッション８４に対して製品を簡単に装脱できるように、それ自体の形状が保持されるように形成されている。
このような側壁８８は、従来、次のように作られている。
すなわち、図１４（Ｂ）に示すように、載置面８６の両端から外側面９０を起立させ、外側面９０の上端から上面９２を内側に折り曲げ、上面９２の先端から内側面９４を下方に折り曲げ、内側面９４の下端から載置面８６上を延在するように下面９６を折り曲げ、この下面９６が載置面８６に糊で貼着される。
さらに、内側面９４の中央から切れ線を介して内側面部分９４０２が切り離され、この内側面部分９４０２が載置面８６上に重ねられる。
そして、製品が両側壁８８の間に挿入され、切れ線の外側の内側面部分９４０４が製品に弾接され、これにより製品が載置面８６上で保持されるようになっている。
【０００４】
【発明が解決しようとする課題】
したがって、このような従来の側壁の構造では、糊による貼着工程を必要とするため製品固定用クッションを安価に、しかも簡単に製作できない不具合があった。
本発明は前記事情に鑑み案出されたものであって、本発明の目的は、安価に、しかも簡単に製作できる製品固定用クッションを提供することにある。
また、本発明の更なる目的は、製品を２段に収容した場合に、上の段に収容した製品を取り出すことなく、下の段の製品のみを取り出すことができる製品固定用クッションを提供することにある。
【０００５】
【課題を解決するための手段】
前記目的を達成するため本発明は次のように構成されている。
すなわち、本発明は、製品を載置するための幅と長さを有する第１載置面と、第１載置面上で第１載置面の長さ方向の端部から起立し第１載置面の幅方向に沿って延在する側壁とを備えた厚紙からなる製品固定用クッションである。前記側壁は、第１載置面の端部から上方に折り曲げられる外側面と、外側面の上端から第１載置面の中央側に向くように折り曲げられる上面と、上面の端部から下方に折り曲げられる内側面と、内側面の下端から第１載置面の中央側に向いて第１載置面上で延在するように折り曲げられる下面とを備えている。前記側壁は、前記第１載置面の端部と外側面と上面と内側面により断面がほぼ矩形状に形成されている。前記下面の先部に第１係止片が設けられ、前記内側面に、前記幅方向に間隔をおいた切れ線を介して前記下面と連続する第２係止片が形成されている。前記第１載置面の前記下面の先部が臨む第１載置面部分に第１係止溝が設けられ、前記第１載置面と外面の境の部分に第２係止溝が形成されている。前記第１係止片が第1係止溝に係止し、第2係止片の先部が第2係止溝に係止することで、下面が第１載置面上に沿って延在し、かつ、前記側壁の矩形の形状が保持されるように構成されている。
本発明の製品固定用クッションによれば、第１係止片、第1係止溝、第2係止片、第2係止溝により側壁の形状が保持され、したがって、側壁を有する製品固定用クッションが糊を用いることなく簡単に得られる。
また、第１載置面上への製品の収容、取り出しは、第１載置面上で両側壁の間に製品を挿入し、あるいは両側壁の間から製品を抜き出すことで簡単になされる。
【０００６】
また、本発明の製品固定用クッションは、前記第１載置面の下方で第１載置面に平行するように第2載置面が設けられ、前記第2載置面は第1載置面の幅と長さに沿った幅と長さを有し、前記第1載置面の幅と第2載置面の幅は同一の寸法で形成されている。前記第2載置面は、第１載置面の幅方向の端部から下方に屈曲する連接面により接続され、前記第２載置面の連接面とは反対側の幅方向の端部に、第２載置面から屈曲し上方に起立する起立面が設けられ、前記第１載置面の連接面とは反対側の幅方向の端部は前記起立面の上端に載置され、前記第１載置面の下方で前記第２載置面上には、前記第１載置面に載置される製品とは別の製品が載置される。
したがって、本発明によれば、第１載置面を上方に揺動させることで、第１載置面上に収容された製品の状態をそのままにして第２載置面上への製品の収容、取り出しも簡単になされる。
【０００７】
【発明の実施の形態】
以下、本発明の実施の形態を図面を参照して説明する。
図１は実施の形態に係る製品固定用クッションの斜視図、図２は製品固定用クッションを構成する段ボールの展開図、図３乃至図９は段ボールから製品固定用クッションを得るための工程説明図、図１０は側壁部分の拡大斜視図、図１１（Ａ）、（Ｂ）は第2係止片部分の説明図、図１２は段ボールから製品固定用クッションを得るための工程説明図、図１３（Ａ）、（Ｂ）は外箱、製品固定用クッションを介して製品を収容する説明図を示す。
実施の形態に係る製品固定用クッション１２を構成する厚紙は段ボール１４であり、製品固定用クッション１２は、図１に示すように、第１載置面２２と、第１載置面２２の下方に設けられた第2載置面２４と、第1載置面２２の両側にそれぞれ設けられた側壁２６とを備える。
図１３に示すように、製品固定用クッション１２は外箱１６に装入されて用いられ、第１載置面２２上で両側壁２６の間に製品２８Ａが収容され、第１載置面２２の下方で第2載置面２４上に、前記製品２８Ａとは別の製品２８Ｂが収容される。
【０００８】
このような製品固定用クッション１２は、図２に示す形状の段ボール１４から作られる。なお、本発明において折れ線とは、段ボールがその部分から折り曲げ易いように段ボールに形成した折れ目やミシン目などを言い、切れ線とは、段ボールをその厚み方向に貫通しつつ段ボールに沿って延在する切断された線などを言う。
段ボール１４には、前記第１載置面２２と第2載置面２４がほぼ矩形に形成されており、前記第１載置面２２と第2載置面２４はそれぞれ幅Ｗと長さＬを有している。
前記第１載置面２２のほぼ中央には、細幅で第１載置面２２の幅Ｗ方向に延在する第１係止溝２９が第１載置面２２の長さＬ方向に間隔をおいて２つ形成され、図２において符号２２１０は、第2載置面２４に収容された製品の覗き窓を示す。
前記第1載置面２２の長さＬ方向の両側にはそれぞれ、折れ線３００２を介して外側面３０が連接され、この外側面３０に折れ線３２０２を介して上面３２が連接され、この上面３２に折れ線３４０２を介して内側面３４が連接され、内側面３４に折れ線３６０２を介して下面３６が連接されている。
【０００９】
前記幅Ｗ方向の中央で外側面３０の第1載置面２２寄り箇所には、その両端が折れ線３００２上に位置するように門型の切れ線３８０２が形成され、折れ線３００２が谷折りされることで切れ線３８０２の内側に第２係止溝３８が形成されるように構成されている。
前記外側面３０と上面３２の境をなす一方の折れ線３２０２の両端からは、外側面３０側に突出するように切れ線３２０４が形成され、折れ線３２０２が谷折りされることで、切れ線３２０４の内側の部分が外側面３０の外側方に突出するように構成されている。
【００１０】
前記上面３２と内側面３４の境をなす折れ線３４０２の中央部分には、折れ線３４０２に沿って延在する切り欠き４０が形成されている。
前記内側面３４には、そのほぼ中央を切り離すように互いに平行する２つの切れ線４２が折れ線３４０２、３６０２間に延在形成され、２つの切れ線４２の間に位置する内側面３４部分により後述する第2係止片４４が形成される。
前記各切れ線４２の一方の端部は前記切り欠き４０に連通し、他方の端部は、折れ線３６０２に沿って所定の長さ延在する切れ線４２０２に接続されている。これに対応し、折れ線３４０２部分にも、切り欠き４０から切れ線４２０４が所定の長さ延在形成され、双方の切れ線４２０２、４２０４の先端を接続するように折れ線４２０６が形成されている。これにより切れ線４２０２，４２０４、折れ線４２０６で囲まれた内側面部分３４１０は折れ線４２０６を支点として揺動し易いように構成されている。
【００１１】
前記第2係止片４４が切り欠き４０に臨む部分に、上面３２側に凸状の先部４４０２が折れ線４４０４を介して設けられ、先部４４０２は第2係止片４４よりも小さい幅で前記第2係止溝３８に挿脱できる寸法で形成されている。
さらに、下面３６の先部で幅方向の中央には、外側に突出する第１係止片４６が設けられ、第１係止片４６は前記第１係止溝２９に挿脱できる寸法で形成されている。
【００１２】
前記第１載置面２２の幅Ｗ方向の一方の端部には挿入片４８が設けられ、他方の端部には、折れ線５００２、連接面５０、折れ線５００４を介して第2載置面２４が連接されている。
前記挿入片４８は第１載置面２２の幅Ｗ方向の中央から突設され、挿入片４８に臨む第１載置面２２部分に半円弧状の切れ線４８０２を介してつまみ４８０４が設けられ、挿入片４８とつまみ４８０４は接続され、挿入片４８とつまみ４８０４は、切れ線４８０２の基端から第１載置面２２の長さＬ方向に延在する折れ線４８０６を境として折曲可能に構成されている。
【００１３】
前記折れ線５００２、連接面５０、折れ線５００４は、図２に第２載置面２４の一部を破断して示すように、段ボール１４の目に平行して延在している。
前記第2載置面２４は第1載置面２２と等しい幅Ｗを有し、第一載置面２２よりも大きい寸法の長さＬを有している。
前記連接面５０とは反対側の第2載置面２４の幅方向の端部に、折れ線５２０２を介して起立面５２が設けられ、この起立面５２に折れ線５２０４を介して内面５４が連接されている。
【００１４】
前記内面５４の延在方向の中央で折れ線５２０４寄り部分には、門型の切れ線５４０２が設けられ、切れ線５４０２に連通するように半円形の切り欠き５４０４が設けられ、これら切れ線５４０２、切り欠き５４０４により後述する挿入溝５６が形成される。
また、第２載置面２４の長さＬ方向の一方の端部には、折れ線５８０２を介して起立面５８が設けられている。
【００１５】
次に、段ボール１４から製品固定用クッション１２を組み立てる場合について説明する。
まず、図３に示すように、折れ線５００２、５００４部分を山折りし、連接面５０を介して第１載置面２２の下方に対向するように第２載置面２４を位置させる。
【００１６】
次に、図４に示すように、第１載置面２２の長さＬ方向の両側の折れ線３００２部分を谷折りし、次に、図５に示すように、折れ線３００２の外側の折れ線３２０２部分を谷折りする。
これにより、第１載置面２２に対して外側面３０が起立し、また、外側面３０に対して上面３２が折り曲げられ、第１載置面２２の上方において、第１載置面２２の両側から上面３２、内側面３４、下面３６が互いに対向し、それらの先部が重ねられる。
また、折れ線３００２部分が谷折りされることで、切れ線３８０２を介して外側面３０の中央下端に第２係止溝３８が開口される。
【００１７】
次に、図６に示すように、折れ線３４０２部分を谷折りし、上面３２に対して内側面３４を折り曲げる。
次に、図７に示すように、各第１係止片４６を第１係止溝２９に挿入し、図８に示すように、各第１係止片４６の根元まで第１係止溝２９に挿入したならば、下面３６が第１載置面３２上に重ねられるように押し付ける。
これにより、折れ線３６０２部分が谷折りされ、第１載置面２２上を延在するように、下面３６が内側面３４に対して折り曲げられ、第１載置面２２上において一対の下面３６が互いに対向する。
また、下面３６が第１載置面３２に押し付けられることで、第２係止片４４が切れ線４２、切り欠き４０を介して上面３２および内側面３４から切り離され、第２係止片４４が下面３６と同一面上で延在する。
【００１８】
次に、図９に示すように、各第２係止片４４の先部４４０２を第2係止溝３８に挿入する。
この場合、図１０に一部を破断した拡大図で示すように、下面３６と第２係止片４４とは同一面上で延在しており、第１係止片４６が第１係止溝２９に挿入されることで、図１１（Ａ）に示すように、段ボールの復元力により第２係止片４４の先部４４０２には、第１係止溝２９の縁に接触する第１係止片４６の部分を支点６０として上方に向かう力Ｆ１が働く。
また、段ボールの復元力により、外側面３０や上面３２には外側に倒れようとする力Ｆ２が働く。
【００１９】
そして、このような段ボールの復元力に基づいた力Ｆ１、Ｆ２により、第2係止溝３８の上縁３８Ａに第２係止片４４の先部４４０２が当接し、下面３２が第１載置面２２上に沿って（図１１Ａに示されるような僅かな傾斜角度をもって）第１載置面２２上を延在する状態が保持される。また、外側面３０、上面３２、内側面３４からなる断面が矩形の側壁２６が作られると共に、第１載置面２２から立設する側壁２６の起立状態が保持される。したがって、形状が保持された側壁２６を糊を用いず簡単に作ることができる。
さらに、本実施の形態では、第2係止片４４の先部４４０２の基端に折れ線４４０４を設けているので、図１１（Ｂ）に想像線で示すように、この折れ線４４０４を境に先部４４０２を折り曲げてやれば、先部４４０２の第2係止溝３８への挿入、係止、あるいは取り外しをより簡単に行なえる。
なお、各第２係止片４４の先部４４０２を第2係止溝３８に挿入する際に、両側壁２６が外側に倒れるように変形させれば、外側面３０が外側に倒れ、これにより第２係止溝３８が外側に倒れるので、先部４４０２の第2係止溝３８への挿入を簡単に行なえ、また、第２係止溝３８が外側に倒れるので、先部４４０２の第2係止溝３８からの抜き出しも簡単に行なえ、したがって、組み立て、解体も簡単になされる。
【００２０】
次に、側壁２６を作ったならば、図１２に示すように、第２載置面２４上の折れ線５２０２、５８０２から起立面５２、５８をそれぞれ起立させ、さらに、折れ線５２０４部分を山折りし、内面５４を折り曲げる。
なお、これら第２載置面２４、起立面５２、５８、内面５４をそれらの折れ線部分から折り曲げる工程、あるいは、起立面５２、５８、内面５４をそれらの折れ線部分から折り曲げる工程は、無論、側壁２６を作る前に行なうようにしてもよい。
最後に、折れ線４８０６部分を山折りし、挿入片４８が下向きにつまみ４８０４が上向きになるように折り曲げ、第１載置面２２の挿入片４８側の端部を起立面５２の上端に載せ、挿入片４８を挿入溝５６に挿入して図１に示す製品固定用クッション１２が得られる。
【００２１】
次に、製品固定用クッション１２の使用方法について説明する。
図１３（Ａ）、（Ｂ）に示すように、製品固定用クッション１２が外箱１６に挿入され、両側壁２６の間で第１載置面２２上に製品２８Ａが収容され、第２載置面２４上に製品２８Ｂが収容され、製品２８Ａ、２８Ｂが２段重ねになった状態で製品固定用クッション１２に収容される。
第１載置面２２上への製品２８Ａの収容は、第１載置面２２上で両側壁２６の間に製品２８Ａを挿入することで簡単になされる。両側壁２６の間で第１載置面２２上に製品２８Ａが収容されると、例えば、製品２８Ａが円盤状を呈していた場合、製品２８Ａの両側部分が内側面部分３４１０に当たり、内側面部分３４１０は折れ線４２０６を支点として外側に揺動し、段ボールの復元力により内側面部分３４１０が製品２８Ａの両側部分に弾接して製品２８Ａを保持することになる。
第１載置面２２上に収容された製品２８Ａの取り出しは、両側壁２６自体の形状が保持されているため、両側壁２６の間から上方に製品２８Ａを抜き出せばよく、製品２８Ａの取り出しも簡単になされる。
【００２２】
また、第２載置面２４上に製品２８Ｂが載置されることで第２載置面２４上に製品２８Ｂが収容され、第２載置面２４上に収容された製品２８Ｂの取り出しは、まず、つまみ４８０４を持って第１載置面２２を折れ線５００２を支点として上方に揺動させ、この状態で第２載置面２４上から製品２８Ｂを取り出せばよい。
すなわち、製品２８Ａを第１載置面２２上から取り出すことなく、言い換えると、第１載置面２２上に収容された製品２８Ａの状態をそのままにして第２載置面２４上の製品２８Ｂのみを簡単に取り出せ、あるいは、収容することが可能となる。
したがって、店頭などで顧客に下の製品２８Ｂを見せるために取り出しても、簡単に取り出せ、また、収容することができ、極めて便利となる。
【００２３】
なお、実施の形態では、第１載置面２２に２つの側壁２６を形成した場合について説明したが、側壁の個数は１つであってもよく、あるいは、３つ以上であってもよい。
また、実施の形態では、第１載置面２２にのみ側壁２６を形成した場合について説明したが、側壁２６は第２載置面２４のみに、あるいは、第１載置面２２と第２載置面２４の双方に設けるようにしてもよい。
また、側壁２６の幅は任意であり、第１載置面２２の幅Ｗより小さくしてもよい。
また、本発明の製品固定用クッション１２は外箱に収容されず、包装用紙のみに包装されて市場に流通されることも可能である。
【００２４】
【発明の効果】
以上の説明で明らかなように本発明によれば、形状が保持された側壁を有する製品固定用クッションを安価に、しかも簡単に製作できる。
また、本発明によれば、製品を２段に収容した場合に、上の段に収容した製品を取り出すことなく、下の段の製品のみを取り出すことができ、極めて便利な製品固定用クッションが得られる。
【図面の簡単な説明】
【図１】実施の形態に係る製品固定用クッションの斜視図である。
【図２】製品固定用クッションを構成する段ボールの展開図である。
【図３】段ボールから製品固定用クッションを得るための工程説明図である。
【図４】段ボールから製品固定用クッションを得るための工程説明図である。
【図５】段ボールから製品固定用クッションを得るための工程説明図である。
【図６】段ボールから製品固定用クッションを得るための工程説明図である。
【図７】段ボールから製品固定用クッションを得るための工程説明図である。
【図８】段ボールから製品固定用クッションを得るための工程説明図である。
【図９】段ボールから製品固定用クッションを得るための工程説明図である。
【図１０】側壁部分の拡大斜視図である。
【図１１】（Ａ）、（Ｂ）は第2係止片部分の説明図である。
【図１２】段ボールから製品固定用クッションを得るための工程説明図である。
【図１３】（Ａ）、（Ｂ）は外箱、製品固定用クッションを介して製品を収容する説明図である。
【図１４】（Ａ）、（Ｂ）は従来の製品固定用クッションの説明図である。
【符号の説明】
１２……製品固定用クッション、１４……段ボール、１６……外箱、２２……第１載置面、２４……第２載置面、２６……側壁、３０……外側面、３２……上面、３４……内側面、３６……下面、４４……第２係止片、４６……第１係止片。
【図１】
0004325066.tif 000002
【図２】
0004325066.tif 000003
【図３】
0004325066.tif 000004
【図４】
0004325066.tif 000005
【図５】
0004325066.tif 000006
【図６】
0004325066.tif 000007
【図７】
0004325066.tif 000008
【図８】
0004325066.tif 000009
【図９】
0004325066.tif 000010
【図１０】
0004325066.tif 000011
【図１１】
0004325066.tif 000012
【図１２】
0004325066.tif 000013
【図１３】
0004325066.tif 000014
【図１４】
0004325066.tif 000015